(57)【特許請求の範囲】
【請求項１】
配達箱を含み、前記配達箱の中には作業空間が設置され、前記作業空間の中には消毒機構が設置され、前記消毒機構は出前置き枠を含み、前記出前置き枠の中には出前置き空間が設置され、前記出前置き空間の中には出前置き板が上下移動可能に設置され、前記出前置き板の下端面にはスイッチが固定的に設置され、前記出前置き板の下端面と前記出前置き空間の下端壁との間にはばねが連結され、前記出前置き板に出前を置くことができ、前記消毒機構の下側には伝動機構が設置され、前記伝動機構は前記作業空間の下端壁に回転可能に設置された縦軸を含み、前記縦軸には下方から上方へ順次にリールと、ローリングホイールと、伝動傘歯車とが固定的に設置され、前記ローリングホイールには細糸が巻かれ、前記リールにはロープが巻かれ、前記伝動機構の上側には緩衝機構が設置され、前記緩衝機構は縦板を含み、前記作業空間の後端面には二つの前記縦板が左右対称的に、且つ固定的に設置され、貫通口及び貫通溝によって各前記縦板を左右に貫通し、前記貫通溝が前記貫通口の下側に形成され、前記作業空間の後端壁には従動軸が回転可能に設置され、前記従動軸には後方から前方へ順次に接触歯車と第一プーリとが固定的に設置され、前記貫通溝の中には双方向ラックが左右移動可能に設置され、前記双方向ラックの片面が前記ロープと連結され、また前記双方向ラックの片面と前記作業空間の壁とが復帰ばねによって連結され、前記双方向ラックの他面には導電ロッドが固定的に設置され、前記導電ロッドの片面には右方に開口した横空間が設置され、前記第一プーリにはベルトが巻き付かれており、前記作業空間の後端壁には伝動軸が回転可能に設置され、前記伝動軸には後方から前方へ順次に伝動輪と第二プーリとが固定的に設置され、前記第二プーリには前記ベルトが巻き付かれており、前記第一プーリと前記第二プーリには一つの前記ベルトが巻き付かれ、
前記消毒機構はさらに紫外線灯を含み、前記出前置き空間の左右端壁には二つの前記紫外線灯が固定的に設置され、前記出前置き枠の左端面と右端面にはそれぞれ連結溝とスライド溝とが形成され、前記連結溝と前記スライド溝とはいずれも外方に開口し、前記出前置き枠の下端面には下方に開口した二つの固定溝が左右対称的に形成され、前記出前置き枠の下端面には電池が固定的に設置され、前記出前置き空間の下端壁には上方に開口したスイッチ溝が形成され、前記スイッチ溝の中には接触ブロックが上下にスライド可能に設置され、前記接触ブロックの下端面と前記スイッチ溝の下端壁との間には推動ばねが連結され、前記出前置き板の左右端面には外方に開口した二つの導電溝が形成され、前記導電溝の中には導電ブロックが左右に移動可能に設置され、前記導電ブロックの片面と前記導電溝の片壁とは絶縁ばねによって連結され、前記作業空間の後端壁には移動溝が形成され、前記移動溝の中には横板が上下に移動可能に設置され、前記移動溝の中には前記出前置き枠が上下に移動可能に設置され、前記横板の上側には固定ブロックが二つ設置され、前記固定ブロックと前記横板とは連結ばねによって連結され、
前記伝動機構はさらに前記作業空間の右端壁に固定されたモータを含み、前記モータの左端面にはモータ軸が回転可能に設置され、前記モータ軸にはモータ傘歯車が固定的に設置され、前記モータ傘歯車と前記モータ軸との間には磁石が設置され、前記モータ傘歯車と前記伝動傘歯車とは噛み合っており、
前記緩衝機構はさらにピンを含み、前記作業空間の後端壁には二つの前記ピンが左右対称的に設置され、前記ピンには伝動歯車が回転可能に設置され、前記作業空間の後端壁には横溝が左右対称的に形成され、前記横溝の中には伝動ブロックが左右に移動可能に設置され、前記貫通口の中には連結ブロックが左右に移動可能に設置され、前記連結ブロックと前記伝動ブロックとの間には緩衝ばねが連結され、
前記復帰ばねと、前記緩衝ばねと、前記ばねと、前記連結ばねと、前記絶縁ばねと、前記推動ばねとはいずれも自然状態にあり、
前記出前置き板が前記スイッチを駆動して下降させ、前記スイッチが下降して前記接触ブロックと接触し、前記モータを作動させることを特徴とする出前配達用の緩衝箱。
【請求項２】
前記配達箱の上端面には蓋板が回転可能に設置されていることを特徴とする請求項１に記載の出前配達用の緩衝箱。
【発明の詳細な説明】
【技術分野】
【０００１】
本願発明は出前配達技術分野を取り上げて、具体的には出前配達用の緩衝箱である。
【背景技術】
【０００２】
生活水準の向上と飲食業の発展につれ、出前は飲食業における新興産業として人々に好まれ、家で家族と一緒に美食を楽しむことも健康で自然な生活方式になる。出前が最初に外国で普遍的であるが、近年、中国でもますます普及していく。出前配達用の箱は出前を配達するための箱のことを指し、一般的に軽便さ、良好な保温性、耐久性、安全性などの特徴を有する。従来の出前配達用の箱は緩衝効果が悪いため、出前を配達する時に料理の汁がこぼれ落ちることはよくあり、お客様に不愉快な消費体験をもたらし、その他、汁が箱にこぼれ落ちると、箱に細菌が繁殖しやすく、食の安全問題を引き起こす。
【先行技術文献】
【特許文献】
【０００３】
【特許文献１】中国特許出願公開第１０７７５４１６８号明細書
【発明の概要】
【発明が解決しようとする課題】
【０００４】
本発明は出前配達用の緩衝箱を提供し、一般の出前配達用の箱の緩衝効果が悪いや衛生性が足りないなどの問題を解消することを目的とする。
【課題を解決するための手段】
【０００５】
本願発明は以下の技術プランを通じて実現する。
【０００６】
本願発明の出前配達用の緩衝箱は、配達箱を含み、前記配達箱の中には作業空間が設置され、前記作業空間の中には消毒機構が設置され、前記消毒機構は出前置き枠を含み、前記出前置き枠の中には出前置き空間が設置され、前記出前置き空間の中には出前置き板が上下移動可能に設置され、前記出前置き板の下端面にはスイッチが固定的に設置され、前記出前置き板の下端面と前記出前置き空間の下端壁との間にはばねが連結され、前記出前置き板に出前を置くことができ、前記消毒機構の下側には伝動機構が設置され、前記伝動機構は前記作業空間の下端壁に回転可能に設置された縦軸を含み、前記縦軸には下方から上方へ順次にリールと、ローリングホイールと、伝動傘歯車とが固定的に設置され、前記ローリングホイールには細糸が巻かれ、前記リールにはロープが巻かれ、前記伝動機構の上側には緩衝機構が設置され、前記緩衝機構は縦板を含み、前記作業空間の後端面には二つの前記縦板が左右対称的に、且つ固定的に設置され、貫通口及び貫通溝によって各前記縦板を左右に貫通し、前記貫通溝が前記貫通口の下側に形成され、前記作業空間の後端壁には従動軸が回転可能に設置され、前記従動軸には後方から前方へ順次に接触歯車と第一プーリとが固定的に設置され、前記貫通溝の中には双方向ラックが左右移動可能に設置され、前記双方向ラックの片面が前記ロープと連結され、また前記双方向ラックの片面と前記作業空間の壁とが復帰ばねによって連結され、前記双方向ラックの他面には導電ロッドが固定的に設置され、前記導電ロッドの片面には右方に開口した横空間が設置され、前記第一プーリにはベルトが巻き付かれており、前記作業空間の後端壁には伝動軸が回転可能に設置され、前記伝動軸には後方から前方へ順次に伝動輪と第二プーリとが固定的に設置され、前記第二プーリには前記ベルトが巻き付かれており、前記第一プーリと前記第二プーリには一つの前記ベルトが巻き付かれている。
【０００７】
好ましくは、前記消毒機構はさらに紫外線灯を含み、前記出前置き空間の左右端壁には二つの前記紫外線灯が固定的に設置され、前記出前置き枠の左端面と右端面にはそれぞれ連結溝とスライド溝とが形成され、前記連結溝と前記スライド溝とはいずれも外方に開口し、前記出前置き枠の下端面には下方に開口した二つの固定溝が左右対称的に形成され、前記出前置き枠の下端面には電池が固定的に設置され、前記出前置き空間の下端壁には上方に開口したスイッチ溝が形成され、前記スイッチ溝の中には接触ブロックが上下にスライド可能に設置され、前記接触ブロックの下端面と前記スイッチ溝の下端壁との間には推動ばねが連結され、前記出前置き板の左右端面には外方に開口した二つの導電溝が形成され、前記導電溝の中には導電ブロックが左右に移動可能に設置され、前記導電ブロックの片面と前記導電溝の片壁とは絶縁ばねによって連結され、前記作業空間の後端壁には移動溝が形成され、前記移動溝の中には横板が上下に移動可能に設置され、前記移動溝の中には前記出前置き枠が上下に移動可能に設置され、前記横板の上側には固定ブロックが二つ設置され、前記固定ブロックと前記横板とは連結ばねによって連結されている。
【０００８】
好ましくは、前記伝動機構はさらに前記作業空間の右端壁に固定されたモータを含み、前記モータの左端面にはモータ軸が回転可能に設置され、前記モータ軸にはモータ傘歯車が固定的に設置され、前記モータ傘歯車と前記モータ軸との間には磁石が設置され、前記モータ傘歯車と前記伝動傘歯車とは噛み合っている。
【０００９】
好ましくは、前記緩衝機構はさらにピンを含み、前記作業空間の後端壁には二つの前記ピンが左右対称的に設置され、前記ピンには伝動歯車が回転可能に設置され、前記作業空間の後端壁には横溝が左右対称的に形成され、前記横溝の中には伝動ブロックが左右に移動可能に設置され、前記貫通口の中には連結ブロックが左右に移動可能に設置され、前記連結ブロックと前記伝動ブロックとの間には緩衝ばねが連結されている。
【００１０】
好ましくは、前記復帰ばねと、前記緩衝ばねと、前記ばねと、前記連結ばねと、前記絶縁ばねと、前記推動ばねとはいずれも自然状態にある。
【００１１】
好ましくは、前記配達箱の上端面には蓋板が回転可能に設置されている。
【発明の効果】
【００１２】
本願発明の有益効果は：本願装置は操作が簡単であり、出前配達用の箱に出前が置かれていない時、電源を入れ、紫外線灯が出前置き空間に消毒を行え、出前置き空間での細菌の繁殖を抑え、さらに食の安全問題を避け、出前配達用の箱に出前が置かれる時、紫外線灯が自動的に消えると同時に出前置き枠の緩衝効果を強め、振動による出前置き枠への影響を抑え、汁が箱に溢れ散る可能性を低下させる。
【図面の簡単な説明】
【００１３】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本願発明の出前配達用の緩衝箱の全体断面の正面構成模式図
【図２】図２は図１のＡの拡大構成模式図
【図３】図３は図１のＢ―Ｂ方向からの模式図
【発明を実施するための形態】
【００１５】
図１〜３を参照し、本願発明の出前配達用の緩衝箱は、配達箱１２を含み、前記配達箱１２の中には作業空間１１が設置され、前記作業空間１１の中には消毒機構７０が設置され、前記消毒機構７０は出前置き枠２９を含み、前記出前置き枠２９の中には出前置き空間２７が設置され、前記出前置き空間２７の中には出前置き板３１が上下移動可能に設置され、前記出前置き板３１の下端面にはスイッチ３３が固定的に設置され、前記出前置き板３１の下端面と前記出前置き空間２７の下端壁との間にはばね３２が連結され、前記出前置き板３１に出前を置くことができ、前記消毒機構７０の下側には伝動機構７１が設置され、前記伝動機構７１は前記作業空間１１の下端壁に回転可能に設置された縦軸６３を含み、前記縦軸６３には下方から上方へ順次にリール４２と、ローリングホイール４１と、伝動傘歯車４３とが固定的に設置され、前記ローリングホイール４１には細糸１８が巻かれ、前記リール４２にはロープ１０が巻かれ、前記伝動機構７１の上側には緩衝機構７２が設置され、前記緩衝機構７２は縦板３０を含み、前記作業空間１１の後端面には二つの前記縦板３０が左右対称的に、且つ固定的に設置され、貫通口２４及び貫通溝４５によって各前記縦板３０を左右に貫通し、前記貫通溝４５が前記貫通口２４の下側に形成され、前記作業空間１１の後端壁には従動軸４７が回転可能に設置され、前記従動軸４７には後方から前方へ順次に接触歯車４６と第一プーリ６４とが固定的に設置され、前記貫通溝４５の中には双方向ラック４８が左右移動可能に設置され、前記双方向ラック４８の片面が前記ロープ１０と連結され、また前記双方向ラック４８の片面と前記作業空間１１の壁とが復帰ばね１９によって連結され、前記双方向ラック４８の他面には導電ロッド５４が固定的に設置され、前記導電ロッド５４の片面には右方に開口した横空間５５が設置され、前記第一プーリ６４にはベルト６５が巻き付かれており、前記作業空間１１の後端壁には伝動軸１７が回転可能に設置され、前記伝動軸１７には後方から前方へ順次に伝動輪１５と第二プーリ１６とが固定的に設置され、前記第二プーリ１６には前記ベルト６５が巻き付かれており、前記第一プーリ６４と前記第二プーリ１６には一つの前記ベルト６５が巻き付かれている。
【００１６】
有益的には、前記消毒機構７０について詳しく説明し、前記消毒機構７０はさらに紫外線灯２６を含み、前記出前置き空間２７の左右端壁には二つの前記紫外線灯２６が固定的に設置され、前記出前置き枠２９の左端面と右端面にはそれぞれ連結溝２５とスライド溝５３とが形成され、前記連結溝２５と前記スライド溝５３とはいずれも外方に開口し、前記出前置き枠２９の下端面には下方に開口した二つの固定溝５９が左右対称的に形成され、前記出前置き枠２９の下端面には電池３９が固定的に設置され、前記出前置き空間２７の下端壁には上方に開口したスイッチ溝６０が形成され、前記スイッチ溝６０の中には接触ブロック６２が上下にスライド可能に設置され、前記接触ブロック６２の下端面と前記スイッチ溝６０の下端壁との間には推動ばね６１が連結され、前記出前置き板３１の左右端面には外方に開口した二つの導電溝５７が形成され、前記導電溝５７の中には導電ブロック５８が左右に移動可能に設置され、前記導電ブロック５８の片面と前記導電溝５７の片壁とは絶縁ばね５６によって連結され、前記作業空間１１の後端壁には移動溝３４が形成され、前記移動溝３４の中には横板４０が上下に移動可能に設置され、前記移動溝３４の中には前記出前置き枠２９が上下に移動可能に設置され、前記横板４０の上側には固定ブロック３５が二つ設置され、前記固定ブロック３５と前記横板４０とは連結ばね３６によって連結されている。
【００１７】
有益的には、前記伝動機構７１について詳しく説明し、前記伝動機構７１はさらに前記作業空間１１の右端壁に固定されたモータ３７を含み、前記モータ３７の左端面にはモータ軸３８が回転可能に設置され、前記モータ軸３８にはモータ傘歯車１３が固定的に設置され、前記モータ傘歯車１３と前記モータ軸３８との間には磁石４４が設置され、前記モータ傘歯車１３と前記伝動傘歯車４３とは噛み合っている。
【００１８】
有益的には、前記緩衝機構７２について詳しく説明し、前記緩衝機構７２はさらにピン５０を含み、前記作業空間１１の後端壁には二つの前記ピン５０が左右対称的に設置され、前記ピン５０には伝動歯車４９が回転可能に設置され、前記作業空間１１の後端壁には横溝２０が左右対称的に形成され、前記横溝２０の中には伝動ブロック２１が左右に移動可能に設置され、前記貫通口２４の中には連結ブロック２３が左右に移動可能に設置され、前記連結ブロック２３と前記伝動ブロック２１との間には緩衝ばね２２が連結されている。
【００１９】
有益的には、前記復帰ばね１９と、前記緩衝ばね２２と、前記ばね３２と、前記連結ばね３６と、前記絶縁ばね５６と、前記推動ばね６１とはいずれも自然状態にある。
【００２０】
有益的には、前記配達箱１２の上端面には蓋板２８が回転可能に設置されている。
【００２１】
装置全体の作動手順は以下の通りである。
【００２２】
１、電池３９を作動させ、出前置き空間２７の中に出前を置いていない時、導電ロッド５４と導電ブロック５８とが接触して通電され、紫外線灯２６が通電されて出前置き空間２７の中に消毒を行う。
【００２３】
２、出前置き空間２７の中に出前が置かれる時、出前置き板３１が出前の重量で下降し、二つの導電ブロック５８が近づき、導電ブロック５８と導電ロッド５４とは離脱し、紫外線灯２６が消毒作業を止め、出前置き板３１がスイッチ３３を駆動して下降させ、スイッチ３３が下降して接触ブロック６２と接触し、モータ３７を作動させる。
【００２４】
３、モータ３７がモータ軸３８を駆動して回転させ、モータ軸３８がモータ傘歯車１３を駆動して回転させ、モータ傘歯車１３との噛み合いにより伝動傘歯車４３は駆動されて回転し、そして縦軸６３によりローリングホイール４１とリール４２とを駆動して回転させ、ローリングホイール４１が回転して細糸１８を締め、リール４２が回転してロープ１０を締め、細糸１８が右側にある双方向ラック４８を引いて右方へ移動させ、ロープ１０が左側にある双方向ラック４８を引いて左方へ移動させ、双方向ラック４８が一定の距離を移動したあとに移動できなくなり、モータ傘歯車１３が回転を止め、モータ軸３８が引き続き回転し、左側の双方向ラック４８を例として、双方向ラック４８が左方へ移動して伝動ブロック２１を駆動して右方へ移動させ、伝動ブロック２１が緩衝ばね２２により連結ブロック２３を駆動して右方へ移動させ、連結ブロック２３が右方へ移動して連結溝２５の中に挿入される。
【００２５】
４、双方向ラック４８が左方へ移動し、噛み合いにより接触歯車４６を駆動して回転させ、接触歯車４６は従動軸４７により第一プーリ６４を駆動して回転させ、第一プーリ６４はベルト６５の摩擦力により右側の第二プーリ１６を駆動して回転させ、右側の第二プーリが伝動軸１７により伝動輪１５を駆動して回転させ、伝動ロッド１４が伝動輪１５とともに回転し、伝動ロッド１４が回転することで横板４０を駆動して上昇させ、横板４０が連結ばね３６により固定ブロック３５を駆動して上昇させ、固定ブロック３５が上昇して固定溝５９の中に挿入され、この時に出前が出前置き空間２７の中に置かれて搬送される時、箱がひどく揺れても緩衝ばね２２と連結ばね３６とは最大限に緩衝作用を果たす。
【００２６】
５、出前置き空間２７の中の出前を全部取り出した時、ばね３２が出前置き板３１を押して上昇させ、絶縁ばね５６が二つの導電ブロック５８を押して離れさせ、導電ブロック５８と導電ロッド５４とが接触し、紫外線灯２６がつけられ、出前置き空間２７に消毒を行う。
【００２７】
以上の実施例はあくまで本発明の技術的原理と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【図１】
0006932299.tif 000002
【図２】
0006932299.tif 000003
【図３】
0006932299.tif 000004